(57)【要約】【課題】法面上に形成される植物生育用基盤を保持する保持装置であって前記法面に対してほぼ垂直に配置される網状部材等がその配置状態を維持できるようにすることにより、前記植物生育用基盤を効果的に保持することができる保持装置を提供すること。【解決手段】法面上に形成される植物生育用基盤を保持する保持装置は、前記法面に対してほぼ垂直に配置される網状部材等と、該網状部材等を前記法面に固定する複数の固定部材とを含み、各固定部材は、前記網状部材等を受け入れるフックを端部に備える。【選択図】図１
2008248573.tif 000002
【特許請求の範囲】
【請求項１】
法面上に形成される植物生育用基盤を保持する保持装置であって、前記法面に対してほぼ垂直に配置される網状部材等と、該網状部材等を前記法面に固定する複数の固定部材とを含み、各固定部材は、前記網状部材等を受け入れるフックを端部に有する、保持装置。
【請求項２】
法面上に形成される植物生育用基盤を保持する保持装置であって、前記法面に対してほぼ垂直に配置される網状部材等と、該網状部材等を前記法面に固定する複数の固定手段とを含み、各固定手段は、棒状部材と、縦部及び前記棒状部材に固定された横部からなるほぼＬ字形の鉤状部材とを有し、該鉤状部材の前記縦部と前記棒状部材との間に前記網状部材等を受け入れる、保持装置。
【請求項３】
法面上に形成される植物生育用基盤を保持する保持装置であって、前記法面に対してほぼ垂直に配置される網状部材等と、該網状部材等を前記法面に固定する複数の固定手段とを含み、各固定手段は、棒状部材と、縦部及び前記棒状部材が挿入される貫通孔を有する横部からなるほぼＬ字形の鉤状部材とを有し、該鉤状部材の前記縦部と前記棒状部材との間に前記網状部材等を受け入れる、保持装置。
【発明の詳細な説明】
【技術分野】
【０００１】
本発明は、法面上に形成される植物生育用基盤を保持する保持装置に関する。
【背景技術】
【０００２】
切土や盛土により形成された法面を緑化するため、該法面上に植物生育用基盤が形成される。
【０００３】
従来、前記植物生育用基盤の形成に先立ち、該植物生育用基盤を保持する保持装置が前記法面に設けられる。前記保持装置は、前記法面に対して垂直に配置される網状部材と、該網状部材を前記法面上に支持する複数の棒鋼とを含む（特許文献１参照）。
【特許文献１】特開２００３−６４６８５号公報
【０００４】
前記法面に対して垂直に配置された前記網状部材は、前記法面上に形成された前記植物生育用基盤が前記法面に対して滑って移動するのを阻止する。これにより前記保持装置は前記植物生育用基盤を前記法面上に保持する。
【発明の開示】
【発明が解決しようとする課題】
【０００５】
ところで、前記植物生育用基盤を前記法面上に形成するとき、前記植物生育用基盤の材料を、例えば圧縮空気により前記法面に吹付ける。このとき、前記植物生育用基盤の材料は、前記網状部材に勢いよく衝突して該網状部材を吹き飛ばすことがある。前記網状部材が吹き飛ばされたとき、該網状部材は前記法面に対して垂直な状態を維持することができないため、前記保持装置は前記植物生育用基盤を効果的に保持することができない。このため、前記網状部材が前記法面に対して垂直な状態を維持できるようにする必要がある。
【０００６】
本発明の目的は、法面上に形成される植物生育用基盤を保持する保持装置であって前記法面に対してほぼ垂直に配置される網状部材又は穿孔板（以下「網状部材等」という。）がその配置状態を維持できるようにすることにより、前記植物生育用基盤を効果的に保持することができる保持装置を提供することである。
【課題を解決するための手段】
【０００７】
本発明は、前記目的を達成するため、前記網状部材等を前記法面に固定する複数の固定部材のそれぞれが端部にフックを備え、該フックは前記網状部材等を受け入れることができる。また、前記網状部材等を前記法面に固定する複数の固定手段のそれぞれが、棒状部材と、縦部及び前記棒状部材に固定された横部からなるほぼＬ字形の鉤状部材とを備え、該鉤状部材の前記縦部と前記棒状部材との間に前記網状部材等を受け入れることができる。また、前記固定手段が、棒状部材と、縦部及び前記棒状部材が挿入される貫通孔を有する横部からなるほぼＬ字形の鉤状部材とを備え、該鉤状部材の前記縦部と前記棒状部材との間に前記網状部材等を受け入れることができる。
【０００８】
本発明に係る、法面上に形成される植物生育用基盤を保持する保持装置は、前記法面に対してほぼ垂直に配置される網状部材等と、該網状部材等を前記法面に固定する複数の固定部材とを含み、各固定部材は、前記網状部材等を受け入れるフックを端部に有する。
【０００９】
前記網状部材等は前記法面に対してほぼ垂直に配置され、前記固定部材は、該固定部材の前記フックが前記網状部材等を受け入れて該網状部材等を前記法面に固定する。前記網状部材等は、前記固定部材の前記フックに受け入れられて前記法面に固定されるため、前記植物生育用基盤の材料の前記法面への吹付時に前記植物生育用基盤の材料が前記網状部材等に勢いよく衝突しても飛ばされることはない。したがって、前記網状部材等は前記法面に対してほぼ垂直な状態を維持することができる。
【００１０】
本発明に係る、法面上に形成される植物生育用基盤を保持する他の保持装置は、前記法面に対してほぼ垂直に配置される網状部材等と、該網状部材等を前記法面に固定する複数の固定手段とを含み、各固定手段は、棒状部材と、縦部及び前記棒状部材に固定された横部からなるほぼＬ字形の鉤状部材とを有し、該鉤状部材の前記縦部と前記棒状部材との間に前記網状部材等を受け入れる。
【００１１】
前記網状部材等は前記法面に対してほぼ垂直に配置され、前記固定手段は、前記鉤状部材の前記縦部と前記棒状部材との間に前記網状部材等を受け入れて該網状部材等を前記法面に固定する。前記網状部材等は、前記鉤状部材の前記縦部と前記棒状部材との間に受け入れられて前記法面に固定されるため、前記植物生育用基盤の材料の前記法面への吹付時に前記植物生育用基盤の材料が前記網状部材等に勢いよく衝突しても飛ばされることはない。したがって、前記網状部材等は前記法面に対してほぼ垂直な状態を維持することができる。
【００１２】
本発明に係る、法面上に形成される植物生育用基盤を保持するさらに他の保持装置は、前記法面に対してほぼ垂直に配置される網状部材等と、該網状部材等を前記法面に固定する複数の固定手段とを含み、各固定手段は、棒状部材と、縦部及び前記棒状部材が挿入される貫通孔を有する横部からなるほぼＬ字形の鉤状部材とを有し、該鉤状部材の前記縦部と前記棒状部材との間に前記網状部材等を受け入れる。
【００１３】
前記固定手段は、前記鉤状部材の前記縦部と前記棒状部材との間に前記網状部材等を受け入れて該網状部材等を前記法面に固定する。このため、前記植物生育用基盤の材料の前記法面への吹付時に前記植物生育用基盤の材料が前記網状部材等に勢いよく衝突しても飛ばされることはない。したがって、前記網状部材等は前記法面に対してほぼ垂直な状態を維持することができる。
【発明の効果】
【００１４】
本発明によれば、固定部材のフックが網状部材等を受け入れることができるため、又は固定手段が鉤状部材の縦部と棒状部材との間に網状部材等を受け入れることができるため、植物生育用基盤の材料の法面への吹付時に前記植物生育用基盤の材料が前記網状部材等に勢いよく衝突しても該網状部材等が飛ばされることはない。このため、前記網状部材等はその配置状態、すなわち前記法面に対してほぼ垂直な状態を維持することができる。これにより前記植物生育用基盤を効果的に前記法面上に保持することができる。
【発明を実施するための最良の形態】
【００１５】
図１、２に示すように、法面１０上に形成される植物生育用基盤１２を保持する複数の保持装置１４が法面１０に間隔を置いて設けられている。法面１０を緑化し、また該法面を保護するため、植物生育用基盤１２で植物（図示せず）を生育させる。
【００１６】
各保持装置１４は、法面１０に対してほぼ垂直に配置される網状部材等１６と、該網状部材等を法面１０に固定する複数の固定部材１８とを含む。
【００１７】
網状部材等１６は、エキスパンデッドメタル若しくは金網のような網状部材又はパンチングメタルのような穿孔板からなる。網状部材等１６は、金属製である上記の例に代え、プラスチック製又は木製でもよい。網状部材等１６は、植物生育用基盤１２が法面１０に対して滑って移動するのを阻止するのに必要な剛性を有する。網状部材等１６は、法面１０に対してほぼ垂直に配置され、水平に伸びる。網状部材等１６の幅寸法、すなわち法面１０に対して垂直な方向における長さ寸法は、植物生育用基盤１２の厚さ寸法より小さい（図２）。図示の例では、植物生育用基盤１２の厚さ寸法は約７ｃｍであり、網状部材等１６の幅寸法は約５ｃｍである。
【００１８】
各固定部材１８は、棒鋼からなり、その端部にフック２０を有する。固定部材１８は法面１０に間隔を置いて打込まれる。固定部材１８の打込み深さは法面１０の性状に応じて決めることができる。固定部材１８のフック２０は、網状部材等１６に対応した側面形状を有し、網状部材等１６をほぼ隙間なく受け入れている（図２）。固定部材１８は、棒状である図示の例に代え、板状であってもよい。
【００１９】
網状部材等１６を固定部材１８により法面１０に固定するとき、まず、網状部材等１６を法面１０に対してほぼ垂直に配置し、その後、各固定部材１８を、該固定部材のフック２０が網状部材等１６を受け入れるように法面１０に打込む。これにより網状部材等１６は法面１０に固定される。網状部材等１６の法面１０への固定後、圧縮空気、ベルトコンベヤー等により植物生育用基盤１２の材料を法面１０に吹き付けて法面１０上に植物生育用基盤１２を形成する。
【００２０】
法面１０に対してほぼ垂直な網状部材等１６は、植物生育用基盤１２が法面１０に対して滑って移動するのを阻止する。これにより保持装置１４は植物生育用基盤１２を法面１０上に保持する。また、網状部材等１６は、植物生育用基盤１２の内部を水分が流れるのを妨げない。このため、植物生育用基盤１２中の余分な水分は植物生育用基盤１２から速やかに排出される。
【００２１】
ところで、植物生育用基盤１２の材料の法面１０への吹付時、植物生育用基盤１２の材料は網状部材等１６に勢いよく衝突する。網状部材等１６がフック２０に受け入れられて法面１０に固定されているため、植物生育用基盤１２の材料が網状部材等１６に衝突して該網状部材等が飛ばされることはない。このため、網状部材等１６は法面１０に対してほぼ垂直な状態を維持することができる。これにより保持装置１４は植物生育用基盤１２を法面１０上に保持することができる。
【００２２】
図３ないし５に示す例では、網状部材等１６は、固定部材１８により固定されている図１、２に示した例に代え、固定手段２２により固定されている。固定手段２２は、棒状部材２４と、縦部２６及び棒状部材２４が挿入される貫通孔２８を有する横部３０からなるほぼＬ字形の鉤状部材３２とを有する。
【００２３】
棒状部材２４は、棒鋼からなり、法面１０に打込まれている。鉤状部材３２は、鋼板を折り曲げたものからなり、法面１０上に配置されている。なお、鉤状部材３２はほぼＬ字形であればよく、前記鋼板の折り曲げ角度は９０度に限定されない。鉤状部材３２の貫通孔２８は棒状部材２４を受け入れ、鉤状部材３２の横部３０は法面１０に接しており、鉤状部材３２の縦部２６は棒状部材２４の上方に位置する。固定手段２２は、鉤状部材３２の縦部２６と棒状部材２４との間に網状部材等１６を受け入れている。鉤状部材３２の縦部２６と棒状部材２４との間の間隔は網状部材等１６の厚さ寸法とほぼ同じである。鉤状部材３２の縦部２６の法面１０に対して垂直な方向における長さ寸法は、網状部材等１６の幅寸法より大きく、植物生育用基盤１２の厚さ寸法と同じである。
【００２４】
網状部材等１６を固定手段２２により法面１０に固定するとき、まず、棒状部材２４を法面１０にこれに対してほぼ垂直に打込み、次に、鉤状部材３２を、該鉤状部材の貫通孔２８が棒状部材２４を受け入れるように法面１０上に配置する。その後、網状部材等１６を、鉤状部材３２の縦部２６と棒状部材２４との間に受け入れられるように法面１０に対してほぼ垂直に配置する。これにより網状部材等１６は法面１０に固定される。
【００２５】
網状部材等１６の法面１０への固定後、植物生育用基盤１２の材料を、鉤状部材３２の縦部２６が埋まるまで法面１０に吹付けて植物生育用基盤１２を法面１０上に形成する。鉤状部材３２の縦部２６の法面１０に対して垂直な方向における長さ寸法が植物生育用基盤１２の厚さ寸法と同じであるため、植物生育用基盤１２の材料を、鉤状部材３２の縦部２６が埋まるまで法面１０に吹付けることにより、予め定められた厚さを有する植物生育用基盤１２を法面１０上に形成することができる。
【００２６】
網状部材等１６が鉤状部材３２の縦部２６と棒状部材２４との間に受け入れられて法面１０に固定されているため、植物生育用基盤１２の材料が網状部材等１６に衝突して該網状部材等が飛ばされることはない。このため、網状部材等１６は法面１０に対してほぼ垂直な状態を維持することができ、保持装置１４は植物生育用基盤１２を法面１０上に保持することができる。
【００２７】
棒状部材２４は、鉤状部材３２の貫通孔２８に挿入されているため、棒状部材２４の法面１０への打込み深さを変えて鉤状部材３２に対して移動させることができる。これにより、鉤状部材３２の縦部２６と棒状部材２４との間の隙間の大きさを変えることができるため、固定手段２２は、大きさが異なる網状部材等を鉤状部材３２の縦部２６と棒状部材２４との間に受け入れることができる。
【００２８】
鉤状部材３２は、該鉤状部材の貫通孔２８が棒状部材２４を受け入れるため、鉤状部材３２の法面１０上への配置時に棒状部材２４に対してその周方向に回転させることができる。このため、法面１０に打込まれた棒状部材２４の周方向の向きに左右されることなく、鉤状部材３２を、該鉤状部材の縦部２６が棒状部材２４の上方に位置するように法面１０上に配置することができる。よって、棒状部材２４の法面１０への打込み時に棒状部材２４の周方向の向きを決める必要がないため、棒状部材２４の法面１０への打込み作業を効率よく行うことができる。
【００２９】
鉤状部材３２の横部３０は、棒状部材２４が挿入される貫通孔２８を有する図５に示した例に代え、棒状部材２４に固定されていてもよい。この場合においても、図５に示した例と同様に、網状部材等１６が鉤状部材３２の縦部２６と棒状部材２４との間に受け入れられて法面１０に固定されるため、植物生育用基盤１２の材料が網状部材等１６に衝突して該網状部材等が飛ばされることはない。このため、網状部材等１６は法面１０に対してほぼ垂直な状態を維持することができ、保持装置１４は植物生育用基盤１２を法面１０上に保持することができる。
【図面の簡単な説明】
【００３０】
【図１】本発明の第１実施例に係る保持装置の正面図。
【図２】図１の線２における縦断面図。
【図３】本発明の第２実施例に保持装置の正面図。
【図４】図３の線４における拡大図。
【図５】図４の線５における縦断面図。
【符号の説明】
【００３１】
１０    法面
１２    植物生育用基盤
１４    保持装置
１６    網状部材等
１８    固定部材
２０    フック
２２    固定手段
２４    棒状部材
２６    縦部
２８    貫通孔
３０    横部
３２    鉤状部材
【図１】
2008248573.tif 000003
【図２】
2008248573.tif 000004
【図３】
2008248573.tif 000005
【図４】
2008248573.tif 000006
【図５】
2008248573.tif 000007